(57)【要約】【課題】  炎天下、帽子を忘れてしまった頭サイズの異なる不特定多数のものを選ばずすべてのものに対応でき、使い捨て感覚の手頃な価格で帽子を提供し、素材の平面部を用いた組立式のため重ねて置くことも、掛けておくこともできる。そのため販売スペ−スも僅かでよい。【解決手段】  頭サイズの異なる老若男女別け隔て無く、同一規格に製造された帽子を被ることがができ、同一規格のため単純な工程により大量生産が可能である。帽子を構成する素材も再生紙などを用いることにより資源の再利用にもなる。【選択図】図１３
2007277789.tif 000002
【特許請求の範囲】
【請求項１】
柔軟性があり屈曲性があり、なおかつ弾力性に優れた素材の平面部を用い、頭に被るものの周辺部のいずれかの側縁部に頭に巻くバンド二本がが併設され、併設されたバンド二本をいったん頭に被る部から分離離脱し、離脱した頭に被るものとバンドを再度組み合わせ組み立てることにより帽子を構成する組立式の帽子。
【請求項２】
頭に被るもの（１）の側縁部（２）もしくは（３）または（１）の周囲側縁部のいずれかの縁部に頭に巻くバンド部（４）と（５）が二本併設され、または（１）の縁部（２）（３）にバンド部（４）と（５）が一本づつ別々に設けらた請求項１の組立式の帽子。
【請求項３】
（１）の縁部（３）に二本併設され設けられたバンド部（４）と（５）は切り欠き部（６（Ｊ））により（１）と分離し、（１）の両縁部（２）と（３）一本づつ併設し設けられたバンド（４）と（５）は切り欠き部（６（Ｊ））と（４４（Ｒ））により（１）と分離する請求項１の組立式の帽子。
【請求項４】
（１）の片縁部（２）もしくは（３）に二本併設されたバンド部（４）と（５）を分離するための切り欠き部（７（Ｋ））を設けた請求項１の組立式の帽子。
【請求項５】
（１）の部の前部分（８）後部分（９）に、バンドを通すための切り込み部（１０（Ａ）（Ｑ））を設けた請求項１の組立式の帽子。
【請求項６】
バンド（４）に、複数の切り込み（１１（Ｂ））を設け、バンド（４）の前部分（１２）に切り込み部（１３（Ｃ））を設けた請求項１の組立式の帽子。
【請求項７】
バンド部（５）の前部分（１４）、後部分（１６）を部を細長い形状（１５）（１７）に設けた請求項１の組立式の帽子。
【請求項８】
請求項６とは異なるバンド（４）の形態として、バンド（４）の前部分（１２）または後部分（３９）のいずれか一方を、細長い形状（１９）に成型し、複数の切り込み（１１（Ｂ））を設けた請求項１の組立式の帽子。
【請求項９】
請求項７とは異なるバンド（５）の形態として（５）の一方の部（１４）を細長い形状に設け、一方の部（１６）に切り込み（１８（Ｉ）を設けた請求項１の組立式の帽子。
【請求項１０】
（１）の一部に孔（２２）を設け、（１）の前部分（８）に、帽子のつば（２０）を構成するための谷折り部（２１）を設けた請求項１の組立式の帽子。
【請求項１１】
上記請求項６．７，８．９とは異なるバンドの形態として、頭に巻く長さを十分に備えた一本のバンド（２５）を（１）とは別に構成してもよく、このときバンドに複数の切り込み（２８（Ｆ））を設け、バンドの一方の端分を細長い形態に設けた請求項１の組立式の帽子。
【請求項１２】
上記請求項５とは異なる形態の切り込み（４３（Ｇ））を設けた請求項１の組立式の帽子。
【請求項１３】
（１）の周囲縁部のいずれかの側縁部にバンドを通すための補助部材（２９）（３０）を併設し、併設された補助部材を（１）より分離離脱するための切り欠き部（４２（Ｍ））を設けた組立式の帽子。
【請求項１４】
補助部材はあらかじめ（１）とは別に設けることもできる請求項１の組立式の帽子。
【請求項１５】
補助部材（２９）（３０）に（３１）と（３２）の谷折り、切り込み部（３３（Ｈ−１））（Ｈ−２））を設け、（２９）（３０）の先端部（３５（Ｒ）（Ｓ））を補助部材に設けられた切り込み部（３３）に差し込める形態、三角状、または半角状にしてもよく、または（３３）に差し込める形態なら先端部（３５）は必ずしも三角、または半角状でなくてもよい請求項１の組立式の帽子。
【請求項１６】
上記記載の請求項に記載された切り欠き部は、型押し溝またはミシン目により離脱自由とし、また、上記請求項に記載された細長い形状は、上記記載された切り込みに差し込める形状なら必ずしも細長い形態でなくてもよい請求項１の組立式の帽子。
【発明の詳細な説明】
【技術分野】
【０００１】  本発明は、柔軟性があり、屈曲性、なおかつ弾力性に優れた安価な素材（例、再生紙、厚紙、ダンボ−ル、布紙など）の平部を用い、単純な製造工程により同一規格に製造するものであり、頭に被るものに頭に巻くバンドの長さが調整できるフリ−サイズ式のバンドと、頭に巻くバンドの長さを十分に得るためのバンドの二本がに併設され、併設された頭に被るものと頭に巻くバンドをいったん分離し、分離した頭に被るものとバンドを組み合わせ組み立てることにより頭サイズの異なる不特定多数のものを選ばず、頭に被ることができる組立式の帽子に関するものである。
【背景技術】
【０００２】  従来、頭サイズの異なるものに対し、頭サイズにより頭に被る部の大きさを調整できる調整バンド付きの立体式の帽子しはあるが、バンドを調整するために必要な小物（例、金具などの調整部品）などを用いるため、製造工程も以外と手間と時間を必要とする。（例、帽子を組み立てるための作業員などが必要になる）それにともない製造コストも割高になってしまう。生産工程が単純化されればされるほど製造コストも低く押さえることができるのは当然だが、現在市販されている帽子では安価な素材を用いて単純な工程、一回程度の型押し、又は裁断などににより一個の帽子を構成するものはない。【０００３】  現在流通している立体式の帽子、または組立式の帽子の材質も比較的割高な（例、弾性織布、デニム布、キルト、ラミネ−とシ−ト、合成樹脂、発泡性樹脂など）素材を用いているいるものが多く帽子一個あたりの価格も案外と高価であり、使い捨て感覚で被れるような帽子はない。【０００４】  炎天下、人々が集うスポ−ツ観戦、または場外での催しなどに出向いたが帽子を用意するのを忘れたしまった。そんなとき、長時間強い日差しを浴びていては身体に害を及ぼすのは周知のことである。身体に危険な日差しを防ぐため、頭サイズの異なる不特定多数、老若男女のためにすべての頭サイズに合う帽子を並び揃えている売店はすくない。帽子専門店などでは広いスペ−スが必要な立体式の帽子、頭サイズの異なる不特定多数のものに対しすべてのサイズを揃えて置くのは可能ではあるが、球場、または催し会場などの売店、臨時に人々が集う公園内の売店などでは販売スペ−スも限られており、頭サイズの異なる不特定多数のもののために提供する立体式の帽子を元から置いてない売店も多い。
したがって帽子が必要なときに帽子を被ることができないという欠点がある。【０００５】  従来、組立式の帽子もあるが本発明にある単純な製造工程、安価な再生紙、厚紙などを用いて簡単容易に組み立てられる帽子を構成するものはない。
【実用文献１】
実用新案出願公開番号    実開平７−２８９３０      公報
【実用文献２】
実用新案登録番号            平９第３０４３０７２  公報
【実用文献３】
実願新案登録番号            平１１−３０６２９７１公報
【特許文献１】特許出願公開番号        特開２００１−１１５３２５公報
【実用文献４】
実用新案登録番号            平１２−３０７４２０９公報
【特許文献２】特許出願公開番号        特開２００３−１８３９２２公報
【実用文献５】
実用新案登録番号            平１６−３１０７４９７公報
【特許文献３】特許出願公表番号        特表２００５−５２００６４公報
【発明の開示】
【発明が解決しようとする課題】
【０００６】  炎天下、多数の規模で集うポ−ツ場などで強い日差しを避けるため帽子のないものは、頭に新聞紙やハンカチ、雑誌などを広げ日を遮っているが、頭に被ったものが頭から滑り落ちないように、常に頭に被ったものを手などで押さえていなければならない不自由さがある。【０００７】  従来市販されている立体式の帽子、また組立式の帽子では頭に被るものと頭に巻くバンドを別べつな工程をへて製造されるものが多く、別々に製造された帽子とバンドを繋ぎ合わせる部品（例、金物などの調整具など）を組み合わせ組み立てるものが多い。そのため帽子を組み立てる手間（例、作業員など）が必要になる。【０００８】  帽子を構成する素材も弾性布織りデニム布などが多く使われているため帽子一個あたりの製造単価も案外と割高な傾向にある。【０００９】  日射病など体に危険を及ぼす害を防ぐため帽子をかぶる必要があるが、頭サイズの異なる不特定多数の者に対して帽子を提供するためには異なったサイズの帽子をすべて用意しておかなければならない。サイズの異なった立体式の帽子を揃えて置くには陳列スペ−スも広い場所が必要であり、帽子専門店などではすべてのサイズの帽子を並び揃えて置くことは可能だが、スポ−ツ観戦などで急に帽子が必要になったときなど、帽子の販売を兼ねた最寄りの小売店などに帽子を求めても、また、球場内などの売店などに帽子を求めても、広いスペ−スを必要とする立体式の帽子を揃えて置くのは難しい。狭い販売スペ−スの売店では立体式の帽子を販売するにも限度があり、帽子が必要なものに対してすべて提供することはできない。結局、帽子が必要なものに対し帽子を提供できない。【００１０】  従来の立体式の帽子では、帽子を一個生産するまでに複雑な製造工程を重ねなくてはならなず帽子を一個を完成させるためには以外と手間（帽子を構成するための作業員など）と時間を必要とする。そのため帽子一個あたりの販売価格が以外と割高になってしまう。そのため強い日差しを避けるため、家などに忘れてしまった帽子の替わりに、一時、強い日差しを避けるために帽子を被ることは必要だが、割高な帽子を新たに新調するのをためらってしまう。特に子供などがスポ−ツ観戦中、強い日差しを避けるため帽子が必要になったときなど、少ない小遣いで高価な帽子を購入するのを諦めてしまう傾向がある。【００１１】  現在同一規格で生産される組立式、または立体式の帽子で、頭サイズの異なる老若男女、不特定多数のものすべてに対応できる帽子、使い捨て感覚で頭に被ることのできる安価な価格で購入できる帽子はない。結局、帽子のないものは頭に覆った新聞紙、ハンカチなどを常に手で押さえているか、健康に害を及ぼす危険のある日差しを浴び続けなければならない。【００１２】  従来、素材の平面部を加工し頭に被るものと頭に巻くバンドの長さを調整できるフリ−サイズ式のバンドと頭に巻くバンドの長さを十分に得るためのバンドが、頭に被るものに併設され生産されるものはなく、それをいったん頭に被るものと頭に巻くバンドを分離し、分離したものを組み合わせ組み立てることにより帽子を構成するものはない。頭に被るものとバンドを組み合わせ、頭の大小を問わず、また頭サイズを選らばず幼児から大人、男女���区別なく帽子が必要な不特定多数のものに対してすべてに対応し提供できる組立式の帽子はない。【００１３】  本発明は以上のような従来のような欠点を解決するためになされ、安価な素材を用い、帽子を販売するためのスペ−スも僅かでよく子供から大人まで誰でも手軽に被ることができ、使い捨て感覚で使用できる組立式の帽子を提供することを目的とするものである。【００１４】  本発明の目的と新規な特徴は次に記載する説明を添付図面（図面参照）と照らし合わせ読むとより完全に明らかになるであろう。ただし図面はもっぱら解説のためのものであって、本発明の記述的範囲を限定するものではない。
【課題を解決するための手段】  上記目的を達成するために、本発明は柔軟性があり屈曲性があり、なおかつ弾力性に優れた安価な素材の平面部を用い、頭に被るも（１）の周縁部のいずれかの側縁部に頭に巻く二本のバンド（４）と（５）を併設し、併設された（１）と（４）と（５）をいったん分離離脱し、分離した（１）と（４）と（５）を再度組み合わせ組み立てることにより組立式の帽子を構成するものである。【００１５】  （１）の側縁部（２）もしくは（３）または（１）の周囲側縁    部のいずれかの縁部に頭に巻くバンド部（４）と（５）二本併設されている。もしくは（１）の片縁部（２）と（３）にバンド部（４）と（５）を一本づつ別々に設ける。（図１，２参照）【００１６】  （１）の側縁部（２）または（１）の側縁部（３）のどちらかの縁部に二本併設され設けられたバンド（４）と（５）は切り欠き部（６（Ｊ））により（１）と分離離脱する。（１）の両縁部（２）と（３）に別々に併設し二本設けられたバンド（４）と（５）は切り欠き部（６（Ｊ））と（４４（Ｒ））により（１）と分離離脱する。（図２参照）【００１７】  （１）の側縁部（２）もしくは（１）の側縁部（３）に二本併設されたバンド部（４）と（５）を分離離脱するため切り欠き部（７（Ｋ））を設ける。（図１参照）【００１８】  （１）の部の前部分（８）、後部分（９）にバンドを通すための切り込み部（１０（Ａ）（Ｑ））を設ける。（図１参照）【００１９】  バンド部（４）に、複数の切り込み（１１（Ｂ））を設け、バンド（４）の前部分（１２）に切り込み部（１３（Ｃ））を設ける。（図３参照）【００２０】  バンド部（５）の前部分（１４）後部分（１６）を細長い形態（１５）（１７）に設ける。（図４参照）【００２１】  上記記載にあるバンド（４）とは異なるバンド（４）の形態として、バンド（４）の一方の部（１２）、または（３９）のいずれか一方の部を、細長い形状（１９）に設け、複数の切り込み（１１（Ｂ））を設ける。（図６参照）【００２２】  上記記載にあるバンド（５）とは異なるバンド（５）の形態として、（５）の一方の部（１４）を細長い形状に設け、一方の部（１６）に切り込み（１８（Ｉ）を設ける。（図５参照）【００２３】  （１）の一部２分に孔（２２）を設け、（１）の前部分（８）に、帽子のつば（２０）を構成するための谷折り部（２１）を設ける。（図面１，２参照）【００２４】  上記に記載されたバンドの形態とは別に、バンドの形態が異なる一本のバンド（２５）を（１）とは別に設けることもできる。このときバンド（２５）に複数の切り込み（２８（Ｆ））を設け、バンド（２５）の一方の端分を細長い形状に設ける。（図７参照）【００２５】  上記記載された（１）にバンドを通すための切り込みを設けた形態と異なる切り込み部（４３（Ｇ））を設ける。（図８参照）【００２６】  （１）の周囲縁部のいずれかの側縁部に、頭に巻くバンドを通すための補助部材二枚（２９）と（３０）を併設する。併設された補助部材を（１）より分離離脱するための切り欠き部（４２（Ｍ））を設ける。（図８参照）【００２７】  補助部材はあらかじめ（１）とは別に設けることもできる。（図９参照）【００２８】  補助部材（２９��と（３０）に（３１）（３２）の谷折り部を設け、切り込み部（３３（Ｈ−１））（Ｈ−２））を設ける。（２９）と（３０）の先端部（３５（Ｒ）（Ｓ））を補助部材に設けられた切り込み部（３３）に差し込める形態、三角状、または半角状にする。もしくは（３３）に差し込める形態なら先端部（３５）は必ずしも三角、または半角状でなくてもよい。（図９参照）【００２９】  上記に記述された切り欠き部は型押し溝またはミシン目により離脱自由とし、また、上記に記載された細長い形状は、上記に記載された切り込み部に差し込める形状なら必ずしも細長い形態でなくてもよい。
以上のような説明から明らかなように、本発明にあっては次に列挙する効果が得られる。
【発明の効果】
【００３０】  本発明は、安価な素材（例、厚紙、ボ−ル紙、弾性織物、布紙など）の平面部を用い、頭に被るものと頭に巻くバンドを同一規格により簡単な型押し、または裁断などの単純な製造工程により大量生産できる。構造が簡単で製造コストが安く同一規格に生産された帽子を頭サイズの異なる不特定多数、老若男女を選ばず被るこができる。
取り扱いが容易で子供にも簡単に組み立てられる。素材も安価な再生紙などを使用することにより、資源の再利用にもなり従来流通している帽子と異なり極端な低価格で大量生産するのが可能になる。そのため帽子が必要なものに対し手頃な販売価格、使い捨て感覚で頭に被る帽子を提供できる。炎天下、帽子を忘れてしまった子供などの小遣い程度で購入でき、帽子を忘れてしまったために患う危険性が伴う強い日差しを、本発明の組立式の帽子を被ることにより遮ることができる。【００３１】  素材の平面部を使用することで本発明の組立式帽子を何重にも重ねて置くことができ陳列スペ−スがほんの僅かでよい。また、頭に被るものの部に設けた孔により吊り下げてくこともでき陳列場所を多く必要としないため、販売場所が限られたスポ−ツ球場などの売店、駅の売店、公園内の売店などでも帽子を提供できる。【００３２】  頭に被るものの後部分に設けられたバンドを通すための複数の切り込みのいずれかを選択することにより、頭を覆うものの湾曲度が変化するためさらに頭のサイズの異なるものに対しすべてに帽子を提供できる。幼児から大人まで同一規格に製造された本発明の組立式の帽子を被ることができる。
日射病等を予防するため帽子の替わりに頭を覆ったハンカチや新聞等を常に手で押さえていなければならないという不自由さもなく、手拍子拍手などの仕草に頭を覆ったものが頭から滑り落ちるという難点もない。風などで髪の毛が乱れるのを防ぐ効果もある。【００３３】  厚紙などを使用することにより帽子の表面全体に印刷することが容易である。多数の観客が集う球場、催し会場、集会などで本発明品を被るとき、頭に被るものまたは頭に巻くバンドに、または頭に被るものとバンド全体に企業の宣伝広告などを掲載することによりＰＲ効果も相当見込める。また頭に被る部の色を変化させることにより見た目にも楽しい雰囲気が望める。
人々が集う集会、大会、またはサッカ−観戦時など応援するチ−ムのユニホ−ムなどに合わせ本発明の帽子のカラ−を統一し着帽することにより一層試合が盛り上がる。
【発明を実施するための最良の形態】
【００３４】  以下、図面に示す発明を実施するための最良の形態により、本発明を詳細に説明する。
（イ）図１において、柔軟性があり屈曲性があり、なおかつ弾力性に優れたの素材（例、ダンボ−ル。厚紙。表面、又は表裏が加工された厚紙。弾力性布織り。布紙など）の平面部を用いて頭に被るもの（１）と頭に巻くバンド（４）（５）の二本が併設された形態に設ける。
（ロ）図１、２において、頭に被る部（１）の一方の縁部（３）に頭に巻くバンド部（４）と（５）を併設し設けてもよく、または（１）の両縁部（２）と（３）にバンド部（４）と（５）を別々に設けてもよい。バンド部と頭に被る部を離脱するために図１においては切り欠き部（６（Ｊ））を設け、図２においては切り欠き部（６（Ｊ））と（４４（Ｒ））を設ける。
また、図１においてはバンド部（４）とバンド部（５）を分離するための切り欠き部（７（Ｋ））を設ける。
（ハ）図１、２において、頭に被る部（１）の前部分（８）後部分（９）にバンド部（４）と（５）を通すために、バンドを通すための切り込み位置が異なる切り込み部（１０（Ａ））（１０（Ｑ））を設ける。
（ニ）図１、２、３において、頭に巻くバンド部（４）に、頭サイズの異なる不特定多数のものに対して頭に巻くバンドの長さを調整するための切り込み部（１１（Ｂ））を複数設け、バンド部（４）の前部分（１２）に、または（３９）のいずれかにバンド（４）とバンド（５）を繋ぎ合わせるための切り込み（１３（Ｃ））を設ける。
（ホ）図１、２、３、４において、バンド部（５）の一方の前部分（１４）または後部分（１６）のどちらか一方部分をバンド（４）と（５）を繋ぐために設けられた図３にあるバンド（４）の切り込み部（１３（Ｃ））に差し込める細長い形状（１５）に設ける。（５）の後部分（１６）または前部分（１４）をバンド（４）に設けられた頭サイズの異なる不特定多数のものの頭サイズに合わせ調整することのできる複数の切り込み（１１（Ｂ））（１３（Ｃ））に差し込める細長い形状（１５）（１７）にする。このとき切り込み（１１（Ｂ））（１３（Ｃ））に差し込める形状なら必ずしも細長い形状ではなくてもよい。
（ヘ）図５において、上記記載（ホ）によるバンド５とは異なる形態のバンドを構成する。バンド（５）の前部分（１４）または後部分（１６）のどちらか一方部を細長い形状に（１５）に成型し（５）の一方の部（１４）または（１６）にバンド（４）とバンド（５）を繋ぐための切り込み（１８（Ｉ））を設ける。（１５）はバンド（４）に設けられた切り込み（１１（Ｂ））に差し込める形状なら必ずしも細長い形状でなくてもよい。
（ト）図６において、上記記載（ニ）によるバンド４とは異なる形態のバンドを構成する。頭サイズに合わせ調整できる複数の切り込み（１１（Ｂ））が設けられたバンド（４）の前部分（１２）または後部分（３９）のどちらか一方を上記（ヘ）に記載されたバンド（５）の一方の端に設けられたバンドとばんどを繋ぐための切り込み（１８（Ｉ））に差し込めることができる細長い形状（１９）にする。このとき切り込み（１８（Ｉ））に差し込める形状なら必ずしも（１９）は細長い形状でなくてもよい。
（チ）図１において、帽子の鍔（２０）を構成するため、（１）の前部分（８）に谷折り部（２１）を設ける。谷折り部を折り帽子の鍔（２０）を構成し、（１）の部に孔（２２）を設ける。
（リ）図７において、図３，４，５，６とは異なる形態によるバンドを構成する。頭に巻くバンド（４）（５）は必ずしも（１）と併設し設けなくてもよく、あらかじめ頭に巻く長さを十分に備えた一本のバンド（２５）を成型してもよい。そのさい、バンド（２５）に頭サイズのことなる不特定多数のものの頭に合わせバンドの長さを調整することのできる複数の切り込み（２８（Ｆ））を設けバンド（２５）の一方の端部をバンドに設けられた切り込み（２８（Ｆ））に差し込める細長い形態（２７）にする。このとき（２８（Ｆ））に差し込める形状であれば（２７）は必ずしも細長い形状でなくてもよい。
上記記載の（イ）〜（リ）により構成された本発明を実施するための最良の形態と他に、上記構成により本発明を実施するための形態とは異なる最良の組立式の帽子を構成することもできる。
以下、異なる形態（ヌ）〜（タ）による組立式帽子の構成を順をおって詳略に説明する。
（ヌ）図８において、頭に被るもの（１）の前部分（８）と後部分（９）に上記（ハ）に記載したバンドを通すための切り込み（１０（Ａ））１０（Ｑ））とは異なる切り込み部（４３（Ｇ））を設ける。
（ル）図９において、（１）設けた切り込み（４３（Ｇ））に装着しバンドを通すための補助部材を（２９）（３０）を設ける。
（オ）図９において、補助部材（２９）（３０）に谷折り部（３１（Ｐ−１）（Ｐ−２）（３２（Ｐ−３）（Ｐ−４））を設ける。
（ワ）図９において、補助部材（２９）（３０）に切り込み部（３３（Ｈ−１）（Ｈ−２））を設ける。
（カ）図９において（２９）（３０）の両先端部（３５（Ｓ）（Ｒ））を補助部材に設けられた切り込み部（３３（Ｈ−１）（Ｈ−２））に差し込むことのできる三角、半角形状、半円状に設ける。このとき、切り込み部（３３）に差し込める形状なら必ずしも三角、半角状、半円状でなくてもよい。
（ヨ）図９において、併設された二枚の補助部材（２９）と（３０）を分離離脱するための切り欠き部（４１（Ｎ））を設ける。又はあらかじめ、補助部材（２９）と（３０）を別々に構成してもよい。
（タ）図８において、頭に被るもの（１）と補助部材は別々に設けてもよく、あらかじめ頭に被るもの（１）の縁周囲の一部分に併設して設けてもよく、（１）に併設された補助部材は（１）より分離離脱するため切り欠き部（４１（Ｍ））を設ける。
上記記載した（ヌ）〜（ヨ）による本発明は以上のような簡単な構成によりなる。
本発明を実施するための（イ）〜（リ）による組立式の帽子を使用する場合においては下記によりその使用方法を説明する。【００３５】図１において、バンドを通すための切り込み（１０（Ａ）（Ｑ））が複数設けられた頭に被るもの（１）と、バンド（４）と（５）切り欠き部（６（Ｊ））により（１）とバンド（４）と（５）を分離する。【００３６】次にバンド（４）と（５）を分離するための切り欠き部（７（Ｋ））により（４）と（５）を分離離脱し二本のバンドを構成する。【００３７】図２において、（１）の両縁部に設けられたバンド（４）と（５）を切り欠き部（４４（Ｒ））（６（Ｊ））により分離離脱し二本のバンドを構成する。【００３８】  図１０において、二本に分離されたバンド（４）のバンドの前部分（１２）、または後部分（３９）にバンド（４）と（５）を繋ぐために設けられた切り込み（１３（Ｃ））に、バンド（５）の前後（１５）（１７）のいずれかに設けられた細長い形状を差し入れる。次に差し込んだ部が外れないようにバンドの内側（３６）に折り曲げ一本のバンドを構成する。【００３９】  図１１、１２において、一本に繋いだバンド（４）（５）を（１）の前部（８）または後部（９）に設けられたバンドを通すために設けられた切り込み（１０（Ａ）（Ｑ））のいずれかを選択し、頭に被るものの内側（３８）から外側（３７）に通した後、抜き出したバンドの端を頭に被るものの外側（３７）から内側（３８）に差し込み抜き出す。【００４０】  図１３、１４において、（１）の（８）または（９）に設けられたバンドを通すための切り込み（１０（Ａ）（Ｑ））にバンドを通した後、（１）を頭に充てバンドの長さを調整する複数の切り込みのいずれかを選択し各自の頭サイズに合った切り込み（１１（Ｂ））にバンド（５）の前後部分に設けられた細長い形状部を差し込み、差し込んだ部が外れないようにバンドの内側に折り曲げる。【００４１】  頭に被るものにバンドを通すとき、あらかじめ繋ぎ合わせ一本のバンドをに構成したものではなくてもよく、頭に被るものの前後に設けられたバンドを通す切り込みに二本に分離したバンドを差し込み、差し込んだ後バンドとバンドを繋ぎ合わせてもよい。【００４２】  図１３においてバンドを通した後、頭に設けられ谷折り部（２１）を折り帽子のつば（２０）を構成してもよく、バンドを通す前に帽子のつばを構成してもよい。
（１）部に設けられた孔を用いて帽子を吊り下げたり掛けたりする。
上記（イ）〜（リ）による形態の組立式帽子の使用方法の他に、（イ）〜（リ）とは異なる（ヌ）〜（タ）の形態による組立式帽子の使用方法を以下説明する。【００４３】  図１５、１６、１７、１８、１９において、（１）の前部分、後部分に設けられた切り込み（４３（Ｇ））に補助部材（２９）（３０）の先端部分（（３５（Ｒ）（Ｓ）を差し込み装着した後、補助部材に設けられた谷折り部により補助部材を（１）の内側に折り曲げる。次に、折り曲げた補助財の先端部を補助部に設けた切り込み部（３３（Ｈ−１）（Ｈ−２））に差し込み、補助部材が（１）より外れないようにする。補助部材（２９）（３０）は（１）の表面から装着してもよく、または裏側から装着してもよい。【００４４】  図１８、１９において、補助部材（２９）（３０）を（１）の前後に設けられた切り込み（４３（Ｇ））装着した後、バンドを補助部材と頭に被るもの（１）の間を通す。
本発明は上記記載にあるとおり簡単な形態に成型された補助部材（２９）（３０）を（１）に装着することにより、（イ）〜（リ）とは異なる本発明の組立式の帽子を簡単容易に被ることができるものである。
【図面の簡単な説明】
【図１】本発明を実施するための第一の最良の形態の斜視図。
【図２】本発明を実施するための第二の最良な形態の斜視図。
【図３】本発明を実施するために複数のきり込みが設けられたバンドの最良な形態の斜視図。
【図４】本発明を実施するため両端部が細長く設けられたバンドの最良な形態の斜視図。
【図５】上記図３、４に記されたバンドと異なる形態のバンドの斜視図。
【図６】上記図３、４、５、に記されたバンドとは異なる形態のバンドの斜視図。
【図７】上記図３、４、５、６に記されたバンドとは異なる形態のバンド。あらかじめ頭に被るものとは別に構成された一本のバンドの斜視図。
【図８】本発明を実施するための第三の最良な形態による斜視図。
【図９】本発明を実施するための最良な形態の補助部材の斜視図。
【図１０】バンドとバンドを繋いだ部の拡大図。
2007277789.tif 000003
【図１３】本発明の俯瞰図。
【図１４】バンドとバンドを繋いだ部の拡大図。
2007277789.tif 000004
【図１９】補助部材にバンドを通した部の拡大図。
【図２０】本発明の組み立て帽子を着帽した図。
【符号の説明】
１            頭に被るもの
２            縁部
３            縁部
４            頭の長さに合わせることのできる複数の切り込みが設けられたバンド
５            頭に巻くバンドの長さを十分に得るためのバンドバンド部
６（Ｊ）      頭に被る部とバンド部を分離するための切り欠き部
７（Ｋ）      バンド部とバンド部を分離するための切り欠き部
８            （１）の前部分
９            （１）の後部分
１０（Ａ）（Ｑ）バンドを通すための切り込み部
１１（Ｂ）      上記４のバンドに設けられた複数の切り込み部
１２            上記４のバンドの前部分
１３（Ｃ）      バンド部４とバンド部５を繋ぎ合わせるための切り込み部
１４            上記記載５のバンド部５の前部分
１５            バンド部５の前部分に設けられた細長い形態
１６            バンド部５の後部分
１７            バンド部５の後部分に設けられた細長い形態
１８（Ｉ）      上記記載のバンドとは異なる形態に成型されたバンドの後部分に設けられた切り込み部
１９            上記４とは異なる形態にバンド４の前部分に設けられた細長い形状
２０            つば部
２１            谷折り部
２２            孔
２３            つばの端部
２４            つばの端部
２５            上記記載のバンドとは異なる形態により構成された一本のバンド
２６            上記２５のバンドの前部
２７            上記２５のバンド部の前部に形成された細長い形状
２８（Ｆ）      上記２５のバンド部に設けられた複数の切り込み部
２９            補助部材
３０            補助部材
３１（Ｐ−１）（Ｐ−２）    補助部材に設けられた谷折り部
３２（Ｐ−３）（Ｐ−４）    補助部材に設けられた谷折り部
３３（Ｈ−１）（Ｈ−２）    補助部材に設けられた切り込み
３４（Ｔ−１）（Ｔ−２）    補助部材（２９）（３０）の両端部
３５（Ｒ）（Ｓ）            補助部材（２９）（３０）の両先端部
３６            バンド部の内側部
３７            （１）の外側部
３８            （１）の内側部
３９            バンド４の後部分
４０            バンドの外側
４１（Ｎ）      補助部材（２９）と（３０）離脱するための切り欠き部
４２（Ｍ）      （１）と補助部材を離脱するための切り欠き部
４３（Ｇ）      （１）に設けられた補助部材を裝着するための切り込み部
４４            （１）と補助部材が併設された部の縁部
【図１】
2007277789.tif 000005
【図２】
2007277789.tif 000006
【図３】
2007277789.tif 000007
【図４】
2007277789.tif 000008
【図５】
2007277789.tif 000009
【図６】
2007277789.tif 000010
【図７】
2007277789.tif 000011
【図８】
2007277789.tif 000012
【図９】
2007277789.tif 000013
【図１０】
2007277789.tif 000014
【図１１】
2007277789.tif 000015
【図１２】
2007277789.tif 000016
【図１３】
2007277789.tif 000017
【図１４】
2007277789.tif 000018
【図１５】
2007277789.tif 000019
【図１６】
2007277789.tif 000020
【図１７】
2007277789.tif 000021
【図１８】
2007277789.tif 000022
【図１９】
2007277789.tif 000023
【図２０】
2007277789.tif 000024